(57)【要約】【課題】安全性のより高い階段昇降機を提供する。【解決手段】階段昇降機１において、レール２に沿って昇降する、立ち乗りのための足乗せ台７１または座り乗りのための簡易シート６４と、足乗せ台７１に立ち、または簡易シート６４に座る利用者Ｈの、少なくとも階下側の周りに対して進退可能なガードバー２２，２６とを備える。【選択図】  図５
2004256197.tif 000002
【特許請求の範囲】
【請求項１】
レールに沿って昇降する、立ち乗りのための足乗せ台または座り乗りのためのシートと、
足乗せ台に立ち、またはシートに座る利用者の、少なくとも階下側の周りに対して進退可能なガードバーと
を備えたことを特徴とする階段昇降機。
【請求項２】
レールに沿って昇降する、立ち乗りのための足乗せ台または座り乗りのためのシートと、
足乗せ台またはシートの上方においてほぼ垂直な状態からほぼ水平な状態まで回転可能なガードバーとを備え、
上記ガードバーは、ほぼ水平な状態となると、足乗せ台に立つ利用者の脇下の高さにて少なくとも階下側の周りに位置する
ことを特徴とする階段昇降機。
【請求項３】
レールに沿って昇降する、立ち乗りのための足乗せ台または座り乗りのためのシートと、
足乗せ台またはシートの上方においてほぼ垂直な状態からほぼ水平な状態まで回転可能なガードバーとを備え、
上記ガードバーは、ほぼ水平な状態となると、足乗せ台に立つ利用者の脇下の高さにて階下側を含む少なくとも三方を取囲む
ことを特徴とする階段昇降機。
【請求項４】
レールに沿って昇降する、立ち乗りのための足乗せ台または座り乗りのためのシートと、
足乗せ台またはシートの近傍において少なくともレールに沿った状態からレールにほぼ直交する状態まで回転可能なガードバーとを備え、
上記ガードバーは、レールにほぼ直交する状態となると、足乗せ台に立ちまたはシートに座る利用者の少なくとも階下側の周りに位置する
ことを特徴とする階段昇降機。
【発明の詳細な説明】
【０００１】
【発明の属する技術分野】
本発明は、屋外や屋内における階段に設置される階段昇降機に関する。
【０００２】
【従来の技術】
階段昇降機として、下記特許文献１に開示されるような、立ち乗り式のものが知られている。立ち乗り式の階段昇降機にあっては、階段の両側にレールが設置され、２本のレールに昇降ステージがまたがっており、昇降ステージには、レールに平行な手摺を有するフレームが立っている。
【０００３】
【特許文献１】
特開平１１−６０１０９号公報
【０００４】
【発明が解決しようとする課題】
上記階段昇降機では手摺が階段の両側において設けられているが、特に階下側において設けられていないため、手摺を離してしまった場合の主な落下方向に対応するガードが存在しないし、階下側を気にする等して手摺に体を比較的十分に預けられない。
【０００５】
そこで、請求項１，請求項４に記載の発明は、安全性のより高い階段昇降機を提供することを目的としたものである。また、請求項２，請求項３に記載の発明は、利用者が一層体を預けることができ、安全性のより高い階段昇降機を提供することを目的としたものである。
【０００６】
【課題を解決するための手段】
上記目的を達成するために、請求項１に記載の発明は、レールに沿って昇降する、立ち乗りのための足乗せ台または座り乗りのためのシートと、足乗せ台に立つ利用者の、少なくとも階下側の周りに対して進退可能なガードバーとを備えたことを特徴とするものである。
【０００７】
上記目的を達成するために、請求項２に記載の発明は、レールに沿って昇降する、立ち乗りのための足乗せ台または座り乗りのためのシートと、足乗せ台またはシートの上方においてほぼ垂直な状態からほぼ水平な状態まで回転可能なガードバーとを備え、上記ガードバーは、ほぼ水平な状態となると、足乗せ台に立つ利用者の脇下の高さにて少なくとも階下側の周りに位置することを特徴とするものである。
【０００８】
上記目的を達成するために、請求項３に記載の発明は、レールに沿って昇降する、立ち乗りのための足乗せ台または座り乗りのためのシートと、足乗せ台またはシートの上方においてほぼ垂直な状態からほぼ水平な状態まで回転可能なガードバーとを備え、上記ガードバーは、ほぼ水平な状態となると、足乗せ台に立つ利用者の脇下の高さにて階下側を含む少なくとも三方を取囲むことを特徴とするものである。
【０００９】
上記目的を達成するために、請求項４に記載の発明は、レールに沿って昇降する、立ち乗りのための足乗せ台または座り乗りのためのシートと、足乗せ台またはシートの近傍において少なくともレールに沿った状態からレールにほぼ直交する状態まで回転可能なガードバーとを備え、上記ガードバーは、レールにほぼ直交する状態となると、足乗せ台に立ちまたはシートに座る利用者の少なくとも階下側の周りに位置することを特徴とするものである。
【００１０】
【発明の実施の形態】
以下、本発明の実施の形態に係る階段昇降機につき、図面に基づいて説明する。図１は階段昇降機１の収納時の正面説明図、図２は階段昇降機１の収納時の背面説明図、図３は階段昇降機１の使用時の正面説明図、図４は階段昇降機１の使用時の背面説明図、図５は階段昇降機１の使用時の右側面説明図、図６は階段昇降機１の使用時の平面説明図であって、階段昇降機１は、階段Ｓに渡すレール２と、レール２に沿って走行するベース４と、ベース４上に着脱自在に取付けられたフレーム８とを備えている。
【００１１】
レール２には、図示しないチェーンが設けられている。チェーンは、各端がレール２の各端に固定されており、一部がベース４の内部に取込まれている。ベース４の内部には、チェーンに噛む図示しないギアと、このギアを回す図示しないモータとが設けられている。各ギアがモータにより対応する方向に回転してチェーンを辿ることで、ベース４ないしフレーム８が上昇し、または下降する。なお、ベース４の下側には、チェーンが通る孔１０が空けられている。
【００１２】
一方、フレーム８は、使用時において、利用者（ここでは大人）Ｈの立ち乗り時における胸から下の部分より一回り大きい程度のサイズを有するものであって、各種バー２２〜３９がジョイント４０〜４３等により接続されてなるものである。
【００１３】
ここで、フレーム８の上部にはガードバー２２が配置される。ガードバー２２は、Ｕ字状であり、各端部が背面側に配置され、各端部直下のバー２３と軸支部４４において接続されている。即ち、ガードバー２２は、フレーム８において、回転可能とされている。また、ガードバー２２の各端部の周囲には、当該端部に沿って動く可動パイプ４５が設けられている。
【００１４】
図７に使用時におけるガードバー２２の一端付近の拡大側面説明図、図８にその拡大平面説明図を示す。ガードバー２２の端部には、軸孔片５０が突出されている。また、当該端部直下に位置するフレーム８上部におけるバー２３の上端部には、軸孔片５２が突出されている。そして、軸孔片５０，５２の軸孔が合わされており、これら軸孔に共通の軸５４が通されて、軸支部４４が形成されている。
【００１５】
ガードバー２２は、使用時の状態から背面側へ回転させて起すことができる。また、ガードバー２２を直下のバー２３に沿うまで起して、可動パイプ４５を直下のバー２３まで下げ、可動パイプ４５がガードバー２２と直下のバー２３とにまたがるようにすれば、ガードバー２２がほぼ垂直状態に保持され、ガードバー２２を収納することができる。なお、ガードバー２２の各端部手前には、手持パッド４６が固定されている。また、使用時において、ガードバー２２は、バー２３正面側のバー２７上部に設けられた受け部４９に入っている。ガードバー２２は、受け部４９に入ると、ほぼ水平な状態となる。
【００１６】
そして、利用者Ｈは、収納したガードバー２２を、可動パイプ４５を持ち上げて軸支部４４を露出させ手前に回転することにより降ろし、くぐることで、使用時において自らの周りにガードバー２２を位置させることができる。即ち、ガードバー２２は、利用者Ｈの周り（階下側から階上側の三方にかけて）に対し進退可能である。なお、ガードバー２２が、使用状態（ほぼ水平な状態）において利用者Ｈの脇下の高さとなるように、バー２３，２４等の長さが調整されている。
【００１７】
一方、背面左側角のバー２４，２５には、サイドガードバー２６が軸支されている。サイドガードバー２６は、階段昇降機１に利用者Ｈ等が乗った場合に階下側に回転移動させる一方、使用しない収納時に背面側に回転移動させることが可能である。即ち、サイドガードバー２６は、利用者Ｈの階下側に対し進退可能である。サイドガードバー２６は、使用時に、利用者Ｈの近傍においてレール２と直交する姿勢となり、収納時にレール２に沿った姿勢となる。
【００１８】
なお、サイドガードバー２６の近傍に、横長のベルト４７が配置されている。ベルト４７は、バー２４とその向いのバー２４とに巻付けられている。サイドガードバー２６は下側のジョイント４１，４２によって位置決めされており、ベルト４７は中間のジョイント４１，４２によって位置決めされている。
【００１９】
また、左側のバー２３に対する正面側のバー２７と、バー２３，２７を結ぶ正背面方向のバー２８とに、傘Ｐの柄Ｇ等を挟む支持部材４８，４８が設けられている。
【００２０】
更に、フレーム８の下部であって、ベース４固定時におけるベース４の機枠１２の上側には、正背面方向においてベース４より若干大きい簡易シート６４の下部正面側が配置されている。
【００２１】
加えて、フレーム８の正面側下部には、大人の両足裏が乗る程度のサイズである足乗せ台７１が軸支されている。足乗せ台７１は、階段昇降機１を使用しない時に、ほぼ垂直な状態に収納したり、使用する時に、ほぼ水平状態まで開き、大人の体重を支えたりすることが可能である。なお、足乗せ台７１がベース４の正面側に設けられる一方、簡易シート６４がフレーム８の背面側に設けられるため、簡易シート６４は足乗せ台７１の上方位置から変位された位置となっている。
【００２２】
フレーム８は、足乗せ台７１に加えて簡易シート６４を備えることで、立ち乗りおよび座り乗りの双方を可能としている（立ち乗りを主とするハイブリッド式）。従って、立ち乗りの場合における非常時に座り乗りに変更することができる。また、簡易シート６４または足乗せ台７１を備えることで、灯油タンクＴ等の荷物を、適宜ベルト４７で固定しつつ簡易シート６４または足乗せ台７１上に置いて昇降させることができる。また、足乗せ台７１に加えて簡易シート６４を備えることで、荷物乗せと立ち乗りとを並行することができ、配置が互いにずらされているので干渉を気にすることなく自然な並行が行える。なお、ガードバー２２は、使用時に降ろされているので、足乗せ台７１の上方空間の周りを囲むようほぼ水平に配置されているし、サイドガードバー２６も、使用時に足乗せ台７１の上方空間の周り（階下側）に位置している。
【００２３】
以上のようになる階段昇降機１では、次に示すような効果を奏する。
【００２４】
即ち、階段昇降機１において、レール２に沿って昇降する、立ち乗りのための足乗せ台７１または座り乗りのための簡易シート６４と、足乗せ台７１に立ち、または簡易シート６４に座る利用者Ｈの、少なくとも階下側の周りに対して進退可能なガードバー２２，２６とを備えるので、階段昇降機１の使用時（昇降時）に万一利用者Ｈが姿勢を崩してしまい、自然落下方向に落下しようとしてしまっても、これをガードバー２２，２６が食止める。従って、階段昇降機１にあっては、足乗せ台７１または簡易シート６４からの利用者Ｈの落下を効果的に防止することができる。また、ガードバー２２，２６が退出することで収納することができ、収納時にコンパクトにし、また足乗せ台７１や簡易シート６４に乗込みあるいは降り易くすることができる。
【００２５】
また、階段昇降機１において、レール２に沿って昇降する立ち乗りのための足乗せ台７１と、足乗せ台７１の上方において少なくともほぼ垂直な状態からほぼ水平な状態まで回転可能なガードバー２２とを備え、ガードバー２２が、ほぼ水平な状態となると、足乗せ台７１に立つ利用者Ｈの脇下の高さにて少なくとも階下側の周りに位置するため、乗降りや収納性に配慮しながら、立ち乗り時における利用者Ｈの落下を防止することができる。また、利用者Ｈが腕をガードバー２２に乗せることで特に上半身を階段昇降機１に対し安定させることができ、利用者Ｈは階段昇降機１により安心して身を預けることができる。即ち、利用者Ｈが、開いたガードバー２２の手持パッド４６を持つことによって、肘を左右に張ることができ、この場合にガードバー２２が脇下を支えるので、階段昇降機１に係る安全性が向上する。
【００２６】
更に、階段昇降機１において、レール２に沿って昇降する立ち乗りのための足乗せ台７１と、足乗せ台７１の上方において少なくともほぼ垂直な状態からほぼ水平な状態まで回転可能なガードバー２２とを備え、ガードバー２２が、ほぼ水平な状態となると、足乗せ台７１に立つ利用者の脇下の高さにて階下側を含む少なくとも三方を取囲むため、乗降りや収納性に配慮しながら、利用者Ｈの多方向への落下に対応可能となるし、更に一層身を預け易くすることができる。
【００２７】
加えて、階段昇降機１において、レール２に沿って昇降する、立ち乗りのための足乗せ台７１または座り乗りのためのシート６４と、足乗せ台７１または簡易シート６４の近傍において少なくともレール２に沿った状態からレール２にほぼ直交する状態まで回転可能なサイドガードバー２６とを備え、サイドガードバー２６が、レール２にほぼ直交する状態となると、足乗せ台７１に立ちまたは簡易シート６４に座る利用者Ｈの少なくとも階下側の周りに位置するので、乗降りや収納性を確保し、また利用者Ｈの万一のふらつきに効果的に対応することができる。
【００２８】
なお、主に上記形態を変更してなる、本発明の他の形態を例示する。
【００２９】
フレームに簡易シートを設けずにバーと足乗せ板とからなるようにしたり、手摺付のシートのみを設けたり、これと足乗せ板とを設けたりする。手摺付のシートにおいて、手摺の近傍を水平に囲むガードバーを設ける。フレームのガードバーを、上部のものまたはサイドガードバーのみとする。フレームを、板状体にガードバーと同様の板を取付けたものにする。バーやジョイントの形状、数、配置を他の様々なものにする。バーとジョイントとの固定を溶接等とする。簡易シートと足乗せ台とを左右に並べる。シートに傘の支持部材やベルトを設ける。ガードバーを正背面方向脇のバーに軸支し、逆の脇方向へ降ろすものとする。
【００３０】
また、本発明の趣旨を逸脱しない範囲において、上記以外の様々な変更を施すことができる。
【００３１】
【発明の効果】
本発明によれば、少なくとも階下側の周りに対して進退可能なガードバーを設けたため、乗降りや収納性の確保された、安全性のより高い階段昇降機を提供することができる、という効果を奏する。
【図面の簡単な説明】
【図１】本発明に係る階段昇降機の収納時の正面説明図である。
【図２】本発明に係る階段昇降機の収納時の背面説明図である。
【図３】本発明に係る階段昇降機の使用時の正面説明図である。
【図４】本発明に係る階段昇降機の使用時の背面説明図である。
【図５】本発明に係る階段昇降機の使用時の右側面説明図である。
【図６】本発明に係る階段昇降機の使用時の平面説明図である。
【図７】本発明に係る階段昇降機の使用時におけるガードバーの一端付近の拡大側面説明図である。
【図８】本発明に係る階段昇降機の使用時におけるガードバーの一端付近の拡大平面説明図である。
【符号の説明】
１・・階段昇降機、２・・レール、４・・ベース、８・・フレーム、２２・・ガードバー、２６・・サイドガードバー、６４・・簡易シート、７１・・足乗せ台。
【図１】
2004256197.tif 000003
【図２】
2004256197.tif 000004
【図３】
2004256197.tif 000005
【図４】
2004256197.tif 000006
【図５】
2004256197.tif 000007
【図６】
2004256197.tif 000008
【図７】
2004256197.tif 000009
【図８】
2004256197.tif 000010